(57)【要約】  鉛直方向で設けられたシュート(1)に灰採取用通路(2)を水平方向で接続すると共に、この灰採取用通路(2)内にシュート(1)内に出退し得る灰採取用容器(14)を設け、この灰採取用容器(14)内に貯められた灰分の摺り切りを行う丸棒状の摺切り部材(15)を設け、且つこの摺切り部材(15)の半径を５〜１５ｍｍの範囲とし、上記灰採取用容器(14)の移動速度を０．１〜０．５ｍ／ｓｅｃとしたもの。
2012172636.tif 000002
【特許請求の範囲】
【請求項１】
鉛直方向で設けられた灰移動経路内を移動する灰を採取するとともにこの灰中の重金属濃度を計測する自動計測装置であって、
上記灰移動経路の側壁部に設けられた開口部に接続された灰採取用通路、この灰採取用通路に設けられた灰採取手段およびＸ線を灰に照射しその蛍光Ｘ線の強度を検出して灰中の重金属濃度を計測するＸ線計測手段を具備し、
上記灰採取用通路を、一端側が開口部に水平方向で接続される取出通路部とこの取出通路部の他端側に鉛直方向で接続される排出通路部とで形成し、
上記灰採取手段を、上記取出通路部内を移動可能に配置されて上面が開放された灰採取用容器と、上記取出通路部内を移動可能に配置されて上記灰採取用容器の一端側を揺動可能に支持する支持部材と、この支持部材に連結されて上記灰採取用容器を灰移動経路内の灰採取位置と灰採取用通路における排出通路部内の灰排出位置とに亘って移動させる移動手段とから構成し、
上記灰移動経路の側壁部に形成された開口部に、灰採取用容器内に貯められた灰分の摺り切りを行うための少なくとも下面が半円状にされた平滑化部材を設け、
且つ上記平滑化部材の下面の半径を５〜１５ｍｍの範囲にするとともに、上記灰採取用容器の移動速度を０．１〜０．５ｍ／ｓｅｃの範囲としたことを特徴とする灰中の重金属濃度の自動計測装置。
【請求項２】
灰採取用容器に、超音波により振動を付与する振動付与器を設けたことを特徴とする請求項１に記載の灰中の重金属濃度の自動計測装置。
【請求項３】
移動手段により灰採取用容器を灰採取位置に移動させた際に当該灰採取用容器底部の他端側が取出通路部の底壁面に支持された水平姿勢となるようにするとともに、灰採取用容器を灰排出位置に移動させた際に当該灰採取用容器の底部の他端側を支持する支持面が取出通路部の底壁面よりも下方となる傾動姿勢となるようにし、
且つ上記灰採取用容器の少なくとも他端側の側壁面が外側に向かって傾斜されるとともにその傾斜角が灰の安息角以上となるように形成したことを特徴とする請求項１または２に記載の灰中の重金属濃度の自動計測装置。
【発明の詳細な説明】
【技術分野】
【０００１】
本発明は、例えば焼却炉に設けられた集塵装置から排出される灰中における重金属濃度の自動計測装置に関するものである。
【背景技術】
【０００２】
例えば、焼却炉から排出される排ガス中には飛灰などの灰分が含まれているとともに、この灰中には、鉛、カドミウム、クロムなどの有害物質である重金属が含まれており、このような重金属を処理する処理施設では、薬剤を用いて灰中に含まれる重金属の環境中への溶出を抑制している。【０００３】
ところで、灰中の重金属を適正に処理するためには、薬剤の使用量を適正にする必要があり、このため、灰中に含まれる重金属の量、すなわち重金属濃度を適正に計測する必要がある。【０００４】
従来、重金属濃度を計測するシステムとしてはＸ線を用いたものがある（例えば、特許文献１参照）。【０００５】
このシステムは、例えばバグフィルタからの灰類をベルトコンベア上に導き、このベルトコンベア途中の上方位置に蛍光Ｘ線分析装置を配置し、そしてＸ線をベルトコンベア上に照射して重金属濃度を計測し、この濃度に応じて、溶出防止のための薬剤の適正な量が求められていた。
【先行技術文献】
【特許文献】
【０００６】
【特許文献１】特開２００５−１１８７３３号公報
【発明の概要】
【発明が解決しようとする課題】
【０００７】
上述した従来のシステムによると、バグフィルタで捕捉された灰類は、ベルトコンベア上に導かれて、重金属濃度が計測されているが、鉛直方向に設けられた灰移動経路には用いることができなかった。【０００８】
そこで、本発明は、鉛直方向に設けられた灰移動経路中を落下する灰中における重金属濃度を自動的に計測し得る自動計測装置を提供することを目的とする。
【課題を解決するための手段】
【０００９】
上記課題を解決するため、本発明は、鉛直方向で設けられた灰移動経路内を移動する灰を採取するとともにこの灰中の重金属濃度を計測する自動計測装置であって、
上記灰移動経路の側壁部に設けられた開口部に接続された灰採取用通路、この灰採取用通路に設けられた灰採取手段およびＸ線を灰に照射しその蛍光Ｘ線の強度を検出して灰中の重金属濃度を計測するＸ線計測手段を具備し、
上記灰採取用通路を、一端側が開口部に水平方向で接続される取出通路部とこの取出通路部の他端側に鉛直方向で接続される排出通路部とで形成し、
上記灰採取手段を、上記取出通路部内を移動可能に配置されて上面が開放された灰採取用容器と、上記取出通路部内を移動可能に配置されて上記灰採取用容器の一端側を揺動可能に支持する支持部材と、この支持部材に連結されて上記灰採取用容器を灰移動経路内の灰採取位置と灰採取用通路における排出通路部内の灰排出位置とに亘って移動させる移動手段とから構成し、
上記灰移動経路の側壁部に形成された開口部に、灰採取用容器内に貯められた灰分の摺り切りを行うための少なくとも下面が半円状にされた平滑化部材を設け、
且つ上記平滑化部材の下面の半径を５〜１５ｍｍの範囲にするとともに、上記灰採取用容器の移動速度を０．１〜０．５ｍ／ｓｅｃの範囲としたものである。【００１０】
また、本発明は、上記自動計測装置における灰採取用容器に、超音波により振動を付与する振動付与器を設けたものである。【００１１】
さらに、本発明は、上記自動計測装置において、移動手段により灰採取用容器を灰採取位置に移動させた際に当該灰採取用容器底部の他端側が取出通路部の底壁面に支持された水平姿勢となるようにするとともに、灰採取用容器を灰排出位置に移動させた際に当該灰採取用容器の底部の他端側を支持する支持面が取出通路部の底壁面よりも下方となる傾動姿勢となるようにし、
且つ上記灰採取用容器の少なくとも他端側の側壁面が外側に向かって傾斜されるとともにその傾斜角が灰の安息角以上となるように形成したものである。
【発明の効果】
【００１２】
上記自動計測装置によると、鉛直方向で設けられた灰移動経路に灰採取用通路を水平方向で接続するとともに、この灰採取用通路内に灰移動経路内に出退し得る灰採取用容器を設け、しかも灰採取用容器内に貯められた灰分の摺り切りを行うための少なくとも下面が半円状にされた平滑化部材を設け、且つこの平滑化部材の下面の半径を５〜１５ｍｍの範囲にするとともに、上記灰採取用容器の移動速度を０．１〜０．５ｍ／ｓｅｃの範囲としたので、鉛直方向で設けられた灰移動経路内を落下する灰を、計測試料として、簡単な構成でもって、容易に且つ確実に所定暈取り込むことができる。【００１３】
また、灰採取用容器に振動付与器を取り付けたので、灰採取時に容器内に密に取り込むことができるので、Ｘ線による計測を精度良く行うことができる。【００１４】
また、重金属濃度を計測した後は、移動手段により灰採取用容器を他端側に移動させることにより、自重にて排出通路部内に傾動させることができ、したがって簡単な構成で、灰採取用容器内に貯められた灰を排出することができる。【００１５】
さらに、排出時においても、振動付与器にて灰採取容器に振動を付与することにより灰を確実に排出することができる。
【図面の簡単な説明】
【００１６】
【図１】本発明の実施例に係る自動計測装置の概略構成を示す断面図である。
【図２】同自動計測装置の概略構成を示す水平断面図である。
【図３】同自動計測装置における蛍光X線の検出結果の一例を示すグラフである。
【発明を実施するための形態】
【００１７】
以下、本発明の実施例に係る灰中における重金属濃度の自動計測装置を図１〜図３に基づき説明する。
【００１８】
本実施例においては、例えば焼却炉から排出される飛灰中に含まれている鉛、カドミウム、クロムなどの有害物質である重金属の濃度を自動的に計測するものとして説明する。
【００１９】
この重金属濃度の自動計測装置は、焼却炉における集塵装置（例えば、バグフィルタである）にて捕集された灰などを一時的に貯留している灰貯留槽から灰を重金属固定処理装置に導くためのシュート内に設けられて、当該シュート内を落下する灰分をサンプルとして採取するとともに、この採取したサンプルとしての灰中に含まれている重金属濃度を計測するためのものである。
【００２０】
図１および図２に示すように、灰貯留槽から灰を重金属固定処理装置に導くための鉛直方向で設けられたシュート（灰移動経路の一例）の側壁部の所定位置には、矩形状の開口部１ａが形成されるとともに、この開口部１ａには、サンプルとしての灰を採取するための灰採取用通路２が接続されている。
【００２１】
この灰採取用通路２は、一端側がシュート１の開口部１ａに水平方向で接続された取出通路部３と、この取出通路部３の他端側で且つ当該取出通路部３に連通するように下方に垂設された排出通路部４とから構成されており、またこの取出通路部３の底壁部３ｃと排出通路部４の側壁部４ａとの接続部分である後側底壁部３ｄは下向き傾斜面（上側に膨らむ円弧面であってもよい）にされている。
【００２２】
なお、以下、取出通路部３のシュート１側である一端側を前側と称するとともに排出通路部４側の他端側を後側と称して説明する。
【００２３】
上記灰採取用通路２には、灰を採取するための灰採取装置（灰採取手段の一例）５およびこの灰採取装置５により採取されたサンプルとしての灰中の重金属濃度を計測するＸ線計測装置（Ｘ線計測手段の一例で、Ｘ線分析装置ともいう）６が設けられている。
【００２４】
上記灰採取装置５は、取出通路部３内に移動可能に配置された平面視がＵ字形状の連結用の支持部材１１と、上記取出通路部３の他端側に設けられて上記支持部材１１にロッド部１２ａが連結されて当該支持部材１１を取出通路部３内で前後方向に移動させる移動用シリンダ装置（移動手段の一例）１２と、上記支持部材１１の開口端寄り位置に水平方向の支持ピン１３を介して前端側が揺動自在に支持された灰採取用容器１４と、上記シュート１の開口部１ａの上縁側に取り付けられて灰採取用容器１４の上面（特に、後述する容器本体部の上面）を平らにするための丸棒状の摺切り部材（平滑化部材の一例）１５とから構成されている。
【００２５】
なお、上記支持部材１１は、取出通路部3の底壁部（底壁面）３ｃ上に摺動自在に配置されており、場合によっては、支持部材１１に底壁部３ｃ上を転勤し得るローラを設けてもよい。
【００２６】
ところで、灰採取用容器１４は、上記支持ピン１３により前端側が揺動自在に支持されるとともに平面視が矩形状にされた枠状部１６と、この枠状部１６の前側に配置されるとともに上面が開放された箱形状の容器本体部１７とから構成されており、また容器本体部１７の前方および後方側壁面１７ａ，１７ｂが外側に傾斜されており、しかも、少なくとも後方側壁面１７ｂの鉛直線に対する傾斜角θは、灰の安息角よりも大きくなるようにされている。
【００２７】
そして、この灰採取用容器１４は、上記移動用シリンダ装置１２により、シュート１内の灰採取位置（Ａ）と排出通路部４に対応する灰排出位置（Ｂ）との聞で往復移動し得るようにされている。
【００２８】
すなわち、上述したように、この灰採取用容器１４の枠状部１６の前端部は支持部材１１の前端側に揺動自在に支持されるとともに、後端側は取出通路部３の底壁部３ｃに支持されており、したがって灰採取用容器１４の容器本体部１７がシュート１内の灰採取位置（Ａ）に移動した際には、枠状部１６の後端側が取出通路部３の底壁部３ｃに支持されてその水平姿勢が維持され、一方、容器本体部１７が排出通路部４内の灰排出位置（Ｂ）に移動した際には、枠状部１６の後端側が取出通路部３の後側底壁部３ｄを経て排出通路部４内に落下するため、容器本体部１７は傾動姿勢を経て鉛直姿勢となる。
【００２９】
ところで、上記灰採取用容器１４の移動速度、特に、引き込み速度は、遅くなり過ぎると、計測時間が長くなってしまい、早くし過ぎると、摺切り面にひび割れ状の陥没が発生するため、０．１〜０．５ｍ／ｓｅｃの範囲とされる。
【００３０】
また、灰採取用容器１４をシュート１に移動させる時間（シュートに突き出す時間）は、短いと十分な灰を採取することができなくなり、計測精度に影響を及ぼし、長すぎると計測時間が長くなるため、計測頻度が減少するため、適正な時間が選ばれる。
【００３１】
例えば、計測に必要な十分な量の灰を採取するのに望ましい時間は、例えばシュート１の内径が０．３ｍで、１時間当たり７００ｋｇの灰が落下する場合には、３０〜１２０秒の範囲とされる。なお、シュート１の内径および灰の落下量が異なると、その時間も異なる。
【００３２】
勿論、灰採取用容器１４の大きさは、計測時にＸ線照射を行う面積に適したものにされている。
【００３３】
また、上記灰採取容器１４には、例えば容器本体部１７の側面には、超音波による振動を付与するための振動付与器（超音波振動子）１８が取り付けられている。
【００３４】
例えば、灰を採取する際に、超音波振動を容器本体部１７に付与することにより、灰はより密に且つ均一な状態となり、計測精度の向上につながる。また、排出時に容器本体部１７を傾動させて灰を排出する際にも、振動を付与することにより、容器本体部１７内の灰を確実に排出させることができる。
【００３５】
なお、この振動付与器１８は、灰採取容器１４における容器本体部１７以外の場所に、例えば枠状部１６などに取り付けるようにしてもよい。
【００３６】
また、上記丸棒状の摺切り部材１５の直径は、小さいと、灰採取用容器１４の引き込み動作時に灰の圧密効果が得られず（嵩密度が小さくなってしまう）、また直径が太き過ぎると、広い取付場所を必要とするため、その適正範囲は１０〜３０ｍｍとされる。
【００３７】
さらに、上述したように、取出通路部３の上壁部３ａの途中、すなわち灰採取位置（Ａ）と灰排出位置（Ｂ）との間には、開口部３ｂが設けられるとともに、この開口部３ｂに上記Ｘ線計測装置６が配置されている。この位置を灰計測位置（Ｃ）と称す。なお、このＸ線計測装置６のＸ線の照射用窓部６ａが上記開口部３ｂに挿入されて当該Ｘ線計測装置６が固定される。
【００３８】
ここで、Ｘ線計測装置６について簡単に説明すると、Ｘ線を照射用窓部６ａから灰採取用容器１４における容器本体部１７に照射し、つまり容器本体部１７に貯められた計測対象物である灰分に照射し、灰分を構成する物質から励起された蛍光Ｘ線を入射しその強度（カウント量）から物質の量を検出して灰中の重金属濃度を計測するものである。
【００３９】
すなわち、このＸ線計測装置６には、少なくとも、Ｘ線を発生させて計測対象物に出射するＸ線発生部と、計測対象物で励起された蛍光Ｘ線を入射するＸ線入射部と、このＸ線入射部で入射された蛍光Ｘ線の強度を検出する強度検出部と、この強度検出部で検出された強度に基づき灰中に含まれている重金属の量を検出してその濃度を求める濃度算出部とが具備されており、さらに上記強度検出部で検出された蛍光Ｘ線の全強度（全カウント量）を求めるとともに、この全強度値ａの、計測対象物の表面状態が良好な標準状態での標準強度値ｂに対する割合ｃ（ｃ＝ａ／ｂ）を算出する表面状態検出部が具備されている。この表面状態検出部では、得られた割合ｃが予め設定された閾値より低い場合に、表面状態が平滑化されておらず計測値に誤差が生じていると判断される。勿論、表面状態が平滑化されていないと判断された場合には、このとき計測された重金属濃度については無視するようにされている。なお、この閾値については、実験により種々の表面状態に応じてそのときの全強度と計測誤差とが求められ、許容し得る計測誤差に対応する全強度が閾値とされる。例えば、具体例を図３のグラフに示しておく。このグラフから、蛍光Ｘ線の全強度（カウント量）が９００ｃｐｓ以上の場合には、計測誤差が０．０５％以下（許容し得る限度）の範囲となり、したがって、この場合の閾値は９００ｃｐｓに設定される。
【００４０】
このように、容器本体部１７は、外部とは遮断されたシュート１から、やはり外部と遮断された取出通路部３を経て排出通路部４側に移動されることになる。つまり、灰採取用通路２全体は外部（系外）と分離された密閉構造にされている。
【００４１】
上記構成において、シュート１を落下する灰中の重金属濃度を計測する場合、まず、移動用シリンダ装置１２のロッド部１２ａを突出させて灰採取用容器１４の容器本体部１７を取出通路部３からシュート１内の灰採取位置（Ａ）に移動させて、当該容器本体部１７内に灰を山盛り状に貯める。
【００４２】
所定時間が経過して灰が山盛り状になると、移動用シリンダ装置１２により容器本体部１７を取出通路部３側に引き込み、灰計測位置（Ｃ）に移動させる。
【００４３】
この引き込み動作時に、振動付与器１８により容器本体部１７に振動が付与されて灰が密状態にされるとともに、シュート１の開口部１ａに設けられた摺切り部材１５により、当該容器本体部１７に山盛りにされた灰の山盛り部が除去されて、その表面が平らにされる。
【００４４】
次に、Ｘ線計測装置６により、容器本体部１７内にＸ線が照射されて、灰中の重金属濃度が計測される。このとき、計測された全強度値ａの標準強度値ｂに対する割合ｃ（＝ａ／ｂ）が算出されるとともに、この割合ｃと閾値とが比較されて、その表面状態の良否が判断される。その割合が閾値よりも低い場合には、容器本体部１７内の表面状態が悪く（例えば、試料不足、または表面に亀裂、陥没などが発生している状態）、計測結果に誤差が生じていると判断されて、その計測された重金属濃度は無効とされる。
【００４５】
重金属濃度の計測が済むと、再度、移動用シリンダ装置１２により、容器本体部１７が後方に移動され、最終的には、灰排出位置（Ｂ）に移動される。
【００４６】
再度、説明すると、容器本体部１７は、灰採取位置（Ａ）および灰計測位置（Ｃ）においては、少なくとも、その枠状部１６の後端側が取出通路部３の底壁部３ｃに支持されて、その水平姿勢を維持しているが、排出通路部４に対応する取出通路部３の支持面としての後側底壁部３ｄは傾斜されているため、図１の仮想線にて示すように、枠状部１６の後端側が下降し始め、最終的に、枠状部１６全体が後方に傾動して傾動姿勢を経て鉛直姿勢となる。
【００４７】
したがって、容器本体部１７内に貯められていた灰は排出通路部４内に落下される。そして、この灰を落下させる際にも、振動付与器１８により容器本体部１７に振動が付与されるとともに、容器本体部１７の後方側壁面１７ｂの傾斜角θ は、灰の安息角よりも大きくされているため、当該容器本体部１７内の灰は全て排出される。
【００４８】
また、上記Ｘ線計測装置６にて計測された重金属濃度は、後工程に配置された重金属固定処理装置（図示せず）に送られ、ここで、シュート１から排出される灰に対する最適な量の固定薬剤が供給されることになる。
【００４９】
なお、上記説明においては、容器本体部１７を傾動姿勢から鉛直姿勢にして灰を排出させるようにしたが、後方側壁面１７ｂの傾斜角を、灰が自然に落下するような角度にする限り、鉛直姿勢でなくてもよい。すなわち、傾動姿勢であってもよい。
【００５０】
また、上記説明においては、容器本体部１７すなわち枠状部１６を自重にて後側に傾動するものとして説明したが、この枠状部１６の後端側に錘を付けることにより、強制的に、後側に傾動させるようにしてもよい。また、シュート１に設けられている開口部１ａに自重により揺動する揺動式開閉蓋を設けておくことにより、計測を行わない場合に、シュート１内の灰が灰採取用通路２内に入るのを防止することができる。
【００５１】
さらに、灰移動経路としてシュートについて説明したが、このシュートにバイパスを設けるとともに、このバイパス内を落下（通過）する灰中の重金属濃度を計測するようにしてもよい。
【００５２】
上述した自動計測装置によると、鉛直方向で設けられたシュートに灰採取用通路を水平方向で接続するとともに、この灰採取用通路内にシュート内に出退し得る灰採取用容器を設け、しかも灰採取用容器内に貯められた灰分の摺り切りを行うための少なくとも下面が半円状にされた平滑化部材を設け、且つこの平滑化部材の下面の半径を５〜１５ｍｍの範囲にするとともに、上記灰採取用容器の移動速度を０．１〜０．５ｍ／ｓｅｃの範囲としたので、鉛直方向で設けられたシュート内を落下する灰を、計測試料として、簡単な構成でもって、容易に且つ確実に所定量取り込むことができる。
【００５３】
また、灰採取用容器に振動付与器を取り付けたので、灰採取時に容器内に密に取り込むことができるので、Ｘ線による計測を精度良く行うことができる。
【００５４】
また、重金属濃度を計測した後は、移動用シリンダ装置により灰採取用容器を他端側に移動させることにより、自重にて排出通路部内に傾動させることができ、したがって簡単な構成で、灰採取用容器内に貯められた灰を排出することができる。
【００５５】
さらに、排出時においても、振動付与器にて灰採取容器に振動を付与することにより、灰を確実に排出することができる。
【００５６】
言い換えれば、シュート（灰移動経路）内に灰採取容器の容器本体部を開口部から出退させるとともに、その開口部に設けられた丸棒状の摺切り部材（平滑化部材）により容器本体部に貯められた灰を密状態となし且つその表面を平滑化するようにしたので、鉛直方向で落下する灰を容器本体部内に密に取り込んだ後、そのままＸ線計測装置（Ｘ線計測手段）によりＸ線の濃度を計測することができ、したがって例えば油圧ブリケットプレスを用いて試料を形成した後、この試料を油圧ブリケットプレスから取り出して蛍光Ｘ線検査を行う場合に比べて、その構成を非常に簡単にし得るとともに、Ｘ線査に要する手間および装置にかかるコストの低減化を図り得る。
【図１】
2012172636.tif 000003
【図２】
2012172636.tif 000004
【図３】
2012172636.tif 000005
【国際調査報告】
2012172636.tif 000006
2012172636.tif 000007
2012172636.tif 000008
2012172636.tif 000009
2012172636.tif 000010